(57)【要約】【課題】配筋量を抑え、ひいては削減しつつ、柱と梁とが平面的に角度を有するようにすることが可能な鉄筋コンクリート造の柱梁構造及び建築物を提供すること。【解決手段】梁３の材軸方向に対して側面方向が平面視で傾くように配される傾斜柱１を有し、前記梁３は、第一領域Ｒ１と、該第一領域Ｒ１よりも配筋量の多い第二領域Ｒ２とによって構成されていて、前記第一領域Ｒ１と前記第二領域Ｒ２とは前記梁３の材軸方向に交互に連続して並び、前記傾斜柱１は前記第二領域Ｒ２内において前記梁３と接合されている。【選択図】図４
2015209698.tif 000002
【特許請求の範囲】
【請求項１】
梁の材軸方向に対して側面方向が平面視で傾くように配される傾斜柱を有し、
前記梁は、第一領域と、該第一領域よりも配筋量の多い第二領域とによって構成されていて、前記第一領域と前記第二領域とは前記梁の材軸方向に交互に連続して並び、
前記傾斜柱は前記第二領域内において前記梁と接合されていることを特徴とする鉄筋コンクリート造の柱梁構造。
【請求項２】
前記第二領域には、前記第一領域に配される梁主筋に加えて他の梁主筋が配され、
前記第二領域に配される肋筋のピッチは、前記第一領域に配される肋筋のピッチよりも小さくなっている請求項１に記載の鉄筋コンクリート造の柱梁構造。
【請求項３】
請求項１または２に記載の鉄筋コンクリート造の柱梁構造を有し、前記傾斜柱は、少なくとも一つの外壁面を構成するように外周部に沿って配置されていることを特徴とする建築物。
【発明の詳細な説明】
【技術分野】
【０００１】
本発明は、例えば、柱と梁が平面的に角度を有するように構成される鉄筋コンクリート造（ＲＣ造）の柱梁構造及び建築物に関する。
【背景技術】
【０００２】
梁ヒンジを想定した架構において、梁と柱が平面的に角度を有して構成されるＲＣ柱梁仕口部では、柱に対する複数の梁主筋の個々の定着位置が平面的に雁行することになり、すべての梁主筋を柱内に定着させることが困難となる場合もある。こういった理由により、仕口範囲及び危険断面位置が不明確になると、結果として、ラーメン架構の曲げ耐力が不明確となる。このような曲げ耐力の不明確化は、安全面への配慮等から配筋量の増加を招来する一因となったり、想定した構造性能の発揮を阻害する要因となったりする恐れがある。
【発明の概要】
【発明が解決しようとする課題】
【０００３】
一方、危険断面位置の明確化のためには、梁断面積を大きく広げる所謂ドロップハンチを形成するのが一般的である。しかし、意匠上等の制約で梁断面形状を変えられずドロップハンチを採用することができない場合もあり、また、ドロップハンチの適用が可能であったとしても、その場合には配筋量の増加を免れない。
【０００４】
本発明は上述の事柄に留意してなされたもので、その目的は、配筋量を抑え、ひいては削減しつつ、柱と梁とが平面的に角度を有するようにすることが可能な鉄筋コンクリート造の柱梁構造及び建築物を提供することにある。
【課題を解決するための手段】
【０００５】
上記目的を達成するために、本発明に係る鉄筋コンクリート造の柱梁構造は、梁の材軸方向に対して側面方向が平面視で傾くように配される傾斜柱を有し、前記梁は、第一領域と、該第一領域よりも配筋量の多い第二領域とによって構成されていて、前記第一領域と前記第二領域とは前記梁の材軸方向に交互に連続して並び、前記傾斜柱は前記第二領域内において前記梁と接合されている（請求項１）。
【０００６】
上記鉄筋コンクリート造の柱梁構造において、前記第二領域には、前記第一領域に配される梁主筋に加えて他の梁主筋が配され、前記第二領域に配される肋筋のピッチは、前記第一領域に配される肋筋のピッチ（間隔）よりも小さくなっている、とすることができる（請求項２）。
【０００７】
一方、上記目的を達成するために、本発明に係る建築物は、請求項１または２に記載の鉄筋コンクリート造の柱梁構造を有し、前記傾斜柱は、少なくとも一つの外壁面を構成するように外周部に沿って配置されている（請求項３）。
【発明の効果】
【０００８】
本願発明では、配筋量を抑え、ひいては削減しつつ、柱と梁とが平面的に角度を有するようにすることが可能な鉄筋コンクリート造の柱梁構造及び建築物が得られる。
【０００９】
すなわち、本願の請求項１，２に係る発明の鉄筋コンクリート造の柱梁構造では、梁に対して傾斜柱を平面的に角度を持たせて接合するに当たり、梁における配筋量の多い領域（第二領域）に傾斜柱を接合する。これはすなわち、傾斜柱と梁とからなる架構の剛性（特に梁の材軸方向の剛性）を下げているにも拘らず、第二領域の配筋量を増やすことで、曲げ耐力を維持しながら、梁の配筋量を全体として減らし、ひいては梁の偏平化を達成することも可能になる。
【００１０】
請求項３に係る発明の建築物では、外壁面を構成する傾斜柱が梁に対して平面的に角度を有することになり、西側の外壁面を傾斜柱で構成する場合には西日対策に利用することができ、傾斜柱で構成された該壁面に沿って多床室（複数のベッドを配置した病室）を設ける場合には、患者の特定方向の眺望を確保し、各患者の窓の専有化を図ることも容易となる。
【図面の簡単な説明】
【００１１】
【図１】本発明の一実施の形態に係る鉄筋コンクリート造の柱梁構造を有する建築物の基本構成を概略的に示す軸組図である。
【図２】前記建築物の要部の構成を概略的に示す斜視図である。
【図３】前記建築物の基準階の構成を概略的に示す伏図である。
【図４】前記柱梁構造の要部の構成を概略的に示す横断面図である。
【図５】図４におけるＡ―Ａ線断面図である。
【図６】図４におけるＢ―Ｂ線断面図である。
【図７】（Ａ）及び（Ｂ）は、傾斜壁を有しない多床室と傾斜壁を有する多床室のレイアウトを概略的に示す説明図である。
【発明を実施するための形態】
【００１２】
本発明の実施の形態について図面を参照しながら以下に説明する。
【００１３】
図１〜図３に示す本実施の形態に係る鉄筋コンクリート造の柱梁構造を有する建築物は、病院として用いられるように構成されており、外周部に沿って、扁平な二種の柱（ＲＣ壁柱）１、２と扁平な梁（ＲＣ梁）３とが配置されている。
【００１４】
図２及び図３に示すように、上記二種の柱１，２のうちの一方は、梁３の材軸方向に対して側面方向が平面視で傾く（平行ではなく直交もしない）ように配される傾斜柱１であり、他方は、梁３の材軸方向に対して側面方向が並行する（平行であるか又は直交する）ように配される並行柱２である。
【００１５】
そして、本実施形態では、図３に示すように、傾斜柱１によって東西両側の外壁面を構成し、西側の外壁面を構成する傾斜柱１を、西日の遮断効率が上がる向きに傾斜させ、西日対策を行っている。因みに、本実施形態では、傾斜柱１を梁３の材軸方向（Ｘ方向）に対してそれぞれ平面視で２０度傾斜させている。また、南北両側の外壁面は並行柱２を用いて構成してある。
【００１６】
傾斜柱１が接合される梁３は、図４に示すように、第一領域Ｒ１と、第一領域Ｒ１よりも配筋量の多い第二領域Ｒ２とによって構成されていて、第一領域Ｒ１と第二領域Ｒ２とは梁３の材軸方向に交互に連続して並び、傾斜柱１は第二領域Ｒ２内において梁３と接合されている。
【００１７】
図４及び図６に示すように、第一領域Ｒ１には、上部及び下部に各々４本ずつ計８本の梁主筋（大梁主筋）４が配され、外側の４本（上部の外側２本及び下部の外側２本）の梁主筋４の周囲には外側肋筋５が設けられ、内側の４本（上部の内側２本及び下部の内側２本）の周囲には内側肋筋６が設けられている。
【００１８】
第二領域Ｒ２には、第一領域Ｒ１に設けられている計８本の梁主筋４、肋筋５，６に加え、図４〜図６に示すように、内側肋筋６によって囲まれる位置に、上下に各々３本ずつ計６本の梁主筋（大梁主筋）７が配され、各梁主筋７の両端部には、各梁主筋７の所定の引張力が発揮されるように定着具８が設けられている。尚、第二領域Ｒ２のみに設ける梁主筋７は、第一領域Ｒ１、第二領域Ｒ２の双方に設けられる梁主筋４に対する肋筋５，６と配筋が干渉しない位置に配置するのが施工上好ましい。また、梁主筋７としてねじ節鉄筋を用いた場合には、定着板ナット一体型の機械式定着具を定着具８として用いれば、定着具８の設置を容易に行える。
【００１９】
そして、図４及び図５に示すように、第二領域Ｒ２に配される肋筋５、６のピッチは、第一領域Ｒ１に配される肋筋５、６のピッチよりも小さくなっており、さらに、図４〜図６に示すように、第二領域Ｒ２の上部には、建築物の内側（スラブ内）に向かって延びるスラブ内補強筋９が上下２段に適宜間隔で設けられている。
【００２０】
一方、傾斜柱１は、第二領域Ｒ２にある各構成部材（梁主筋４，７、肋筋５，６、スラブ内補強筋９）を避けるように配された複数の柱主筋１０と、各柱主筋１０を囲む柱帯筋１１とによって構成され、横断面が矩形状を呈する。
【００２１】
本実施形態では、上述したように傾斜柱１の側面方向を梁３の材軸方向に対して平面視で傾けることにより、傾斜柱１と梁（大梁）３とからなる柱梁架構の剛性（特に梁３の材軸方向の剛性）を下げることで、梁３の扁平化を図り（梁成を抑え）、階高の低減や天井高さの確保に繋げている。なお、この剛性の低下による影響は、後述する方法によって小さくすることも可能である。
【００２２】
しかも、梁３の配筋量を一律にするのではなく、傾斜柱１が接合される第二領域Ｒ２の配筋量を、傾斜柱１が接合されない第一領域Ｒ１の配筋量よりも増やし、傾斜柱１と梁３との一体性を高めて曲げ耐力を維持しながら（傾斜柱１を曲げ耐力要素としつつ）、梁３の主筋本数を全体として減らし、梁３の扁平化をも可能としている。そして、本実施形態では、図４に示すように、梁３の幅（梁幅）Ｗ３を、傾斜柱１の見かけの柱幅Ｗ１と略同一としてあるので、傾斜柱１と梁３との一体性は非常に高まることになる。
【００２３】
加えて、傾斜柱１と梁３との接合部（仕口部）となる第二領域Ｒ２における梁主筋本数と比較し、仕口部の外側となる第一領域Ｒ１における梁主筋本数を少なくしてあり、各梁主筋本数を、梁部材耐力が第一領域Ｒ１と第二領域Ｒ２との境界位置の曲げ耐力により支配されるように決定しておけば、危険断面位置は第一領域Ｒ１と第二領域Ｒ２との境界位置となって明確化されることになり、合理的に過剰な梁主筋の使用を抑えることができる。
【００２４】
その上、上述したように傾斜柱１の側面方向を梁３の材軸方向に対して平面視で傾けることにより、傾斜柱１のせん断スパン比（柱の内法高さｈ０  ／柱幅Ｄ）を導出する際、傾斜柱１の実質の柱幅Ｄ０  の材軸方向（Ｘ軸方向）の成分（例えば傾斜柱１の実質の柱幅Ｄ０  が１０００ｍｍであり、梁３の材軸方向に対する傾斜柱１の傾斜角度θが２０°であればＤ０  ×ｃｏｓθ＝１０００ｍｍ×ｃｏｓ２０°）がせん断スパン比の分母（柱幅Ｄ）となるので（図４、図６参照）、結果として、せん断スパン比が大きくなり、例えばＦＣ材からＦＢ材に改善されるというように、柱の種別をランクアップさせることができ、短柱化の防止にも結び付く。
【００２５】
また、本実施形態では、図３に示すように、傾斜柱１及び並行柱２が配された外周部の内側（内周部）に、外周部に沿うように設けられる床スラブを構成するプレキャストコンクリート部材１２とそれを支持する端部ピン接合の鉄骨梁（Ｓ梁）１３とを配し、さらにその内側（中央部）に、ＲＣ大梁１４、ＲＣ小梁１５、ＲＣ柱１６、コンクリートスラブ１７を配している（図２も参照）。尚、図２では、分かり易さのためにＲＣ大梁１４、ＲＣ小梁１５等の図示を省略している。
【００２６】
そして、内周部の床スラブを構成するプレキャストコンクリート部材１２として、両端の開口した中空孔が長手方向に成され、且つ、中空孔に沿って埋設された複数本のＰＣ鋼線によりプレストレスが導入されたプレキャストコンクリート部材（商品名：スパンクリート）を用いている。このプレキャストコンクリート部材１２は、ＰＣ小梁のように、上端主筋及び下端主筋やスターラップが埋設されていないが、プレストレスが導入されているため、高強度であり、しかも、中空孔を有するため、比重が軽く軽量である。従って、このプレキャストコンクリート部材１２を内周部の床スラブに用いることにより、天井高さのアップと、外周部に配置する傾斜柱１及び並行柱２のスリム化とを図ることができる。
【００２７】
ここで、東西の外壁面を傾斜柱１で構成し、南北の外壁面を並行柱２で構成するにあたって、建築物のＸ方向とＹ方向の曲げ耐力及びせん断耐力は、傾斜柱１が接合する梁３の第二領域Ｒ２の配筋量を第一領域Ｒ１よりも増やすことによって略同等とすることができる。しかし、上述したように傾斜柱１の側面方向は梁３の材軸方向に対して平面視で傾いているので、傾斜柱１と梁（大梁）３とからなる傾斜柱架構は、並行柱２と梁（大梁）３とからなる並行柱架構に比べ、梁３の材軸方向（Ｘ方向）の剛性は下がる。そこで、このような剛性の差による影響を可及的に小さくする必要があるならば、例えば、図２及び図３に示すように、建築物の内部に耐震壁（例えば波形鋼板壁やＲＣ耐震壁等）１８を設けている（設ける）場合には、傾斜柱架構と平行する方向（Ｘ方向）に延びる耐震壁１８を、並行柱架構と並行する方向（Ｙ方向）に延びる耐震壁に比して、壁厚を増す等してその強度と剛性を適宜増加させてもよい。もしくは、傾斜柱１の場合は、その主筋量（本数）を増やす、又は主筋径を太くする、或いは帯筋のピッチを狭くする等の手段を用いてその強度と剛性を適宜増加させてもよい。これにより、梁３の断面寸法を大きくする必要はなく、梁成の増大に伴う階高の増長や天井高さの低減を回避することができる。
【００２８】
ところで、図７（Ａ）に示す従来の多床室（複数のベッドが配置された病室）では、外壁１９側に頭が向くように各ベッド２０が配置され、かつ、外壁１９と同一平面内にある窓２１からずれた位置にベッド２０があるので、患者はベッド２０に横たわった状態で窓２１の外を眺めることができるが、一つの窓２１を隣り合う患者どうしが共有することになり、窓２１の外を眺めようとしたときに隣の患者と視線が合い易いという問題がある。
【００２９】
これに対して、本実施形態の複数の傾斜柱１に沿って多床室を設けた場合、図７（Ｂ）に示すように、各患者は、傾斜柱１間に設けられた横断面Ｌ型の（傾斜柱１に平行な部分２２ａと、傾斜柱１に直交する部分２２ｂとを有する）窓２２を専有化することができ、窓２２の外を眺めようとしたときに隣の患者と視線が合うことはない。また、窓２２によって各患者の特定方向の眺望を確保することができる上、各ベッド２０は各傾斜柱１に沿って段差状に並ぶことになるので、隣接するベッド２０間にある仕切り用のカーテン２３をあけたときでも、隣の患者と視線が合い難いというメリットもある。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
図１には、各柱１，２を布基礎２４で支持する例を示しているが、これに限らず、例えばべた基礎や独立基礎を設けてあってもよい。
【００３２】
傾斜柱１、並行柱２、梁３は、各々扁平でなくてもよい。
【００３３】
図３には、東西の外壁面を傾斜柱１で構成し、南北の外壁面を並行柱２で構成しているが、これに限らず、例えば、傾斜柱１、並行柱２で構成する外壁面を各々増減してもよく、また、一構面内において、傾斜柱１と並行柱２とを混在させてあってもよく、建築物の内部に傾斜柱１を設けてもよい。
【００３４】
上記実施形態では、第二領域Ｒ２の梁主筋の配筋量を第一領域Ｒ１よりも多くするために、第二領域Ｒ２の梁主筋の本数を増やし、肋筋５，６のピッチを小さくしているが、これに限らず、例えば第二領域Ｒ２の梁主筋４や肋筋５，６を太径化するようにしてもよい。
【００３５】
なお、上記変形例どうしを適宜組み合わせてもよいことはいうまでもない。
【符号の説明】
【００３６】
１    傾斜柱
２    並行柱
３    梁
４    梁主筋
５    外側肋筋
６    内側肋筋
７    梁主筋
８    定着具
９    スラブ内補強筋
１０    柱主筋
１１    柱帯筋
１２    プレキャストコンクリート部材
１３    鉄骨梁
１４    ＲＣ大梁
１５    ＲＣ小梁
１６    ＲＣ柱
１７    コンクリートスラブ
１８    耐震壁
１９    外壁
２０    ベッド
２１    窓
２２    窓
２３    カーテン
Ｄ      柱幅
Ｄ０      実質の柱幅
ｈ０      柱の内法高さ
Ｒ１    第一領域
Ｒ２    第二領域
Ｗ１    見かけの柱幅
Ｗ３    梁幅
θ      梁の材軸方向に対する傾斜柱の傾斜角度
【図１】
2015209698.tif 000003
【図２】
2015209698.tif 000004
【図３】
2015209698.tif 000005
【図４】
2015209698.tif 000006
【図５】
2015209698.tif 000007
【図６】
2015209698.tif 000008
【図７】
2015209698.tif 000009